(57)【要約】      （修正有）【課題】一つの歯ブラシで複数の別の洗浄プロセス、複数の別の組合せ構造、複数の別の機能を一元化することで、歯ブラシ用品の活用様式を一変させ、合理的で利便性のある歯ブラシを提供する。【解決手段】歯ブラシ本体の把柄部Ａを中央部分の位置にし、把柄部の両サイドに頸部Ｂ，Ｃ、歯ブラシ本体の両先端部分の位置に刷毛のある頭部Ｄ，Ｅを設け、二つの各頭部と対の刷毛部Ｆ，Ｇは大きさ、長さ、幅、厚さ、容量、形状、素材、形態、毛の硬さなどが多種多様的な仕様用途のものになるように計らい、一本体の歯ブラシで歯磨きに関係する複数の頭部を分離して配備し、複数の別の洗浄プロセス、複数の別の組合せ構造、複数の別の機能が可能であり、頭部の刷毛部を含む単体が全体の複数で各二組になる相互間には関連性と効果性があるものを併有する。【選択図】図１
2014076251.tif 000002
【特許請求の範囲】
【請求項１】
歯、歯の周辺を洗浄する歯ブラシ本体の把柄部を中央部分の位置にし、把柄部の両サイドに頸部を有することを特徴とする連関歯ブラシ。
【請求項２】
歯ブラシ本体の両先端部分の位置に刷毛のある頭部を設け、二つの各頭部と対の刷毛部は大きさ、長さ、幅、厚さ、容量、形状、素材、形態、毛の硬さなどが多種多様的な仕様用途のものになるように計らい、一本体の歯ブラシで歯磨きに関係する複数の頭部を分離して配備し、複数の別の洗浄プロセス、複数の別の組合せ構造、複数の別の機能が可能であり、頭部の刷毛部を含む単体が全体の複数で各二組になる相互間には関連性と効果性があるものを併有することを特徴とする請求項１記載の連関歯ブラシ。
【発明の詳細な説明】
【技術分野】
【０００１】  本発明は、日常生活用品に関するものであり、歯ブラシ本体の形状、構造、機能に工夫を加えることによって、歯ブラシと洗浄法を革新し、生活様式の利便性と歯ブラシ用具の潜在機能の発効を図るようにしたものである。
【背景技術】
【０００２】  従来、歯ブラシは、歯ブラシ本体の片先端を把柄部にして洗浄をすることがライフスタイルになっている。
【発明の開示】
【発明が解決しようとする課題】
【０００３】  しかし、従来のような歯ブラシでは、一般的に一つの洗浄プロセスが日常茶飯事になって常識化されており、歯の洗浄に不十分さが有り、歯と歯茎の境目、部分の汚れ、歯と歯の間の汚れなどを取り除くことに難儀して、不便さがあるので本発明は、これらの不都合を解決することを課題とする。
【課題を解決するための手段】
【０００４】  この課題を解決するための請求項１の発明は、歯を洗浄する歯ブラシ本体の把柄部を中央部分の位置にし、中央部を握りやすい立体形状で、両サイドより太めの構造のものを設け、把柄部の両サイドに各頸部を有し、真っ直ぐなもの、角度が付いたもの、細すぎず太すぎず耐久性があるものなどが使用用途によって、対称、非対称にする各機構を融合した連関歯ブラシにする。【０００５】  又、請求項２の発明は、歯ブラシ本体の両先端部分の位置に刷毛のある頭部を設け、二つの各頭部と対の刷毛部は頭部の大きさ、長さ、幅、厚さ、容量、形状、刷毛部の素材、形態、植毛の幅、毛先の形状、毛の硬さや太さなどが多種多様的な仕様用途のものになるように計らい、一本体の歯ブラシで歯磨きに関係する複数の頭部を分離して配備し、複数の別の洗浄プロセス、複数の別の組合せ構造、複数の別の機能が可能であり、頭部の刷毛部を含む単体が全体の複数で各二組になる相互間には、歯ブラシとしての本質、利便性を追求したものになり、普遍的で様々に駆使でき、関連性と効果性があるものを併有する連関歯ブラシができる。
【発明の効果】
【０００６】  本発明により、一つの歯ブラシで複数の別の洗浄プロセス、複数の別の組合せ構造、複数の別の機能を一元化することで、歯ブラシ用品の活用様式を一変させ、合理的で利便性のある歯ブラシを提供することができる。【０００７】  歯ブラシ本体の両先端、頭部の刷毛部が順序的、繰り返し的、気紛れ的に洗浄できやすい歯ブラシ本体部全体を適度な構造や形状のものにすることで、容易に歯、歯の周辺の洗浄を円滑にすることができる。【０００８】  歯ブラシ本体部は、利用者、利用用途などにより、各種サイズ、各種組み合わせ構造を自由に選択して使用でき、各自に適応した広範囲な洗浄能力がある能率的な歯磨きを展開することができる。【０００９】  歯ブラシを頻繁にあらゆる方向へ移動しても負担、違和感のないようにすため、本体部を適度な長さにした耐久性のあるもの、フレキシブルなものにすることで、快適な洗浄と洗浄プロセスの一体化を楽しむことができる。【００１０】  本発明の歯ブラシにおいては、歯ブラシヘッド本体の両先端の各種洗浄構造により、各種類の洗浄プロセスを適時に自由な選択が可能であり、必要に応じた洗浄が得られる。【００１１】  本発明の複数の洗浄とプロセスを併有する歯ブラシは、簡素化されたものであるが、本数当たりの作用効果が大きいものである。【００１２】  本発明は歯ブラシの中央部を起点とし、両先端部を作用させ、例として、一方の刷毛部の刷毛の容積小部において、刷毛部の形態の中心部位は周囲の長いものより一層長くした全般に硬めのものを設け、他方の刷毛部の刷毛は軟らかめで短めである。従って、一般的には刷毛部の小さめで歯と歯茎の境目部、歯と歯の歯間部を刷毛部の大きめで歯、歯茎、歯の周辺の全体を磨く構造にすることで、洗浄や洗浄プロセスに関連、一体化が可能である。【００１３】  歯ブラシの機能範囲が拡大することによって、歯ブラシの利用範囲も増大し、相乗作用としても威力を発揮することができる普遍的なものである。
【発明を実施するための最良の形態】
【００１４】  図１は、連関歯ブラシの歯ブラシ本体全体部の概略立体外形図で、Ａの把柄部は形状、材質などが手先に持ちやすく、洗浄作業にも違和感がないものにする。頸部１は頸部２に比べ少し太めにするのが好ましいが、同等にしても良く、耐久性のあるフレキシブルなもが好ましい。頭部１は頭部２に比べ体積の差が大きく、刷毛部１の刷毛の容積も大であるが、刷毛部２の刷毛の容積小部において、刷毛部の形態の中心部位は周囲の長いものより一層長くした全般に硬めのものを設け、刷毛部１の刷毛は軟らかめで短めである。従って、刷毛部の小さめで歯と歯茎の境目部、歯と歯の歯間部を刷毛部の大きめで歯、歯茎、歯の周辺の全体を磨く構造にしたものである。【００１５】  図２は、連関歯ブラシの各種類の歯ブラシの概略立体外形図例で、図中の１は容積の大きい毛の軟らかい刷毛部と容積が中で毛の硬い刷毛部を組み合わせた連関歯ブラシ。図中の２は容積が中で毛の軟らかい刷毛部と容積が中で毛の硬い刷毛部を組み合わせた連関歯ブラシ。図中の３は容積が中で毛の軟らかい刷毛部と容積が極小で毛は長く硬い刷毛部を組み合わせた連関歯ブラシ。図中の３の把柄部と容積が極小の刷毛部間の頸部は一体ものであるが、頸部部分で着脱式のものにすることも可能である。一般的に歯ブラシ本体部全体は、直線的か適度な曲線系で若干長くした形状のものが重宝するが、利用者、使用用途に応じて各種サイズを設け、自由に選択できるようにする。又、歯ブラシは中央部を起点とし、両先端部を作用させるため、頻繁にあらゆる方向への持ち替え移動するのが標準であり、負担や違和感のない構造、形態、形状、素材などで適正な長さ、適度な耐久性のあるもの、フレキシブルなものにすることで、洗浄や洗浄プロセスの一体化を可能にすることができる。これらは一例に過ぎず、組み合わせ、構造、形状、材質、素材など幾多にも及ぶもである。
【産業上の利用可能性】
【００１６】  本発明に係る複数の別の洗浄プロセスを備えた歯ブラシは、工業的に量産する事が可能であるため、産業上の利用可能性を有する。
【図面の簡単な説明】
【００１７】
【図１】  歯ブラシ本体全体部の概略立体外形図
【図２】  各種類の歯ブラシの概略立体外形図例
【符号の説明】
【００１８】図中の文字、数字は次の通りである。
Ａ  ：把柄部                        Ｅ  ：頭部２
Ｂ  ：頸部１                        Ｆ  ：刷毛部１
Ｃ  ：頸部２                        Ｇ  ：刷毛部２
Ｄ  ：頭部１
１  ：各種類の歯ブラシの概略立体外形図例１
２  ：各種類の歯ブラシの概略立体外形図例２
３  ：各種類の歯ブラシの概略立体外形図例３
【図１】
2014076251.tif 000003
【図２】
2014076251.tif 000004